(57)【要約】  ファインダ装置に光学的な被写体像と撮像素子により撮像した被写体像とを並べたときに，瞳が動いても見やすいようにする。  対物レンズ（凹レンズ）61，接眼レンズ66により光学的に結像する被写体像91を瞳75によって見ることができる。対物レンズ61の前方の一部において遮光板80が設けられ，その遮光板80によって遮光領域93ができる。電子ビュー・ファインダ65の表示画面の一部に被写体像を撮像すると，その被写体像がプリズム63によって反射し，遮光領域93に重なって見える。虚像式ファインダ装置では，瞳75が光軸Ｌから動くと，遮光領域93の範囲も動いてしまうので，瞳75の位置に応じて遮光板80を動かし，瞳75が動いても遮光領域93の範囲を一定にする。
2014013797.tif 000002
【特許請求の範囲】
【請求項１】
対物レンズに凹レンズが用いられ，かつ接眼レンズに凸レンズが用いられている虚像式ファインダ装置，
被写体を撮像し，被写体像を表わす画像データを出力する固体電子撮像装置，
上記固体電子撮像装置によって撮像された被写体像の少なくとも一部の画像を表示画面に表示する表示装置，
上記対物レンズと上記接眼レンズとの間に設けられ，上記表示装置の表示画面に表示されている上記少なくとも一部の画像を上記接眼レンズに導く偏向光学系，
上記対物レンズの出射光の一部を遮り，上記対物レンズの光軸に対して垂直に移動自在な遮光板，
上記接眼レンズに近づく観察者の瞳の位置を検出する位置検出手段，
上記位置検出手段によって検出された観察者の瞳の位置に応じて移動するように上記遮光板を制御する遮光板制御手段，および
上記偏向光学系が上記遮光板によって遮光される領域に重なるような表示画面の領域に上記少なくとも一部の画像を表示するように上記表示装置を制御する表示制御手段，
を備えたカメラ。
【請求項２】
上記遮光板制御手段は，
上記位置検出手段によって上記ファインダ装置の光軸から観察者の瞳の位置が動いたことに応じて，その動いた方向に移動するように上記遮光板を制御するものである，
請求項１に記載のカメラ。
【請求項３】
上記遮光板は，上記虚像式ファインダ装置によって結像する光学的な被写体像の四隅のうちのいずれかの位置に位置決めされるものである，
請求項１または２に記載のカメラ。
【請求項４】
対物レンズに凹レンズが用いられ，かつ接眼レンズに凸レンズが用いられている虚像式ファインダ装置を備えたカメラにおいて，
固体電子撮像装置が，被写体を撮像し，被写体像を表わす画像データを出力し，
表示装置が，上記固体電子撮像装置によって撮像された被写体像の少なくとも一部の画像を表示画面に表示し，
偏向光学系が，上記対物レンズと上記接眼レンズとの間に設けられ，上記表示装置の表示画面に表示されている上記少なくとも一部の画像を上記接眼レンズに導き，
遮光板が，上記対物レンズの出射光の一部を遮り，上記対物レンズの光軸に対して垂直に移動自在であり，
位置検出手段が，上記接眼レンズに近づく観察者の瞳の位置を検出し，
遮光板制御手段が，上記位置検出手段によって検出された観察者の瞳の位置に応じて移動するように上記遮光板を制御し，
表示制御手段が，上記偏向光学系が上記遮光板によって遮光される領域に重なるような表示画面の領域に上記少なくとも一部の画像を表示するように上記表示装置を制御する，
カメラの動作制御方法。
【発明の詳細な説明】
【技術分野】
【０００１】
この発明は，カメラおよびその動作制御方法に関する。
【背景技術】
【０００２】
光学ファインダ装置には，虚像式ファインダと呼ばれるものがある。虚像式ファインダでは，接眼レンズに凹レンズが用いられ，対物レンズに凸レンズが用いられている。光学ファインダ装置を小型に作成できる。また，ファインダ装置には，光学的な被写体像を結像し，その光学的な被写体像を観察する光学的ファインダ機能と液晶表示装置に撮像により得られた被写体像を表示し，その被写体像を観察する電子ビュー・ファインダ機能との両方の機能をもつのもある。【０００３】
また，メインの画像表示部エリア内にサブの画像を表示するもの（特許文献１），撮影者の視線を検出し，視線位置に対応する位置に測距点のマーカを重ね合わせて表示するもの（特許文献２）などもある。
【先行技術文献】
【特許文献】
【０００４】
【特許文献１】特開2001-134173号公報
【特許文献２】特開2002-82278号公報
【発明の概要】
【発明が解決しようとする課題】
【０００５】
上述のように光学式と電子式との両方の機能をもつ光学式電子式兼用ビュー・ファインダにおいて，光学的な被写体像と液晶表示装置に表示される被写体像とを同時に観察することを考えると，対物レンズの出遮光の一部を遮る遮光板を挿入することが考えられる。その遮光板により形成される遮光領域に液晶表示装置に表示される被写体像を重ねて表示することにより，光学的な被写体像と液晶表示装置に表示される被写体像とを並べて同時に見ることができる。しかしながら，虚像式の光学ファインダ装置の場合，観察者の瞳が動くと，遮光領域が大きくずれてしまう。このために，遮光領域上に液晶表示装置に表示されている被写体像が一致するように重ならない。遮光領域が大きくはみ出したり，光学的な被写体像上に液晶表示装置に表示されている被写体像が重なったりしてしまう。【０００６】
この発明は，観察者の瞳が動いても遮光領域が一定となるようにすることを目的とする。
【課題を解決するための手段】
【０００７】
この発明によるカメラは，対物レンズに凹レンズが用いられ，かつ接眼レンズに凸レンズが用いられている虚像式ファインダ装置，被写体を撮像し，被写体像を表わす画像データを出力する固体電子撮像装置，固体電子撮像装置によって撮像された被写体像の少なくとも一部の画像を表示画面に表示する表示装置，対物レンズと接眼レンズとの間に設けられ，表示装置の表示画面に表示されている少なくとも一部の画像を接眼レンズに導く偏向光学系，対物レンズの出射光の一部を遮り，対物レンズの光軸に対して垂直に移動自在な遮光板，接眼レンズに近づく観察者の瞳の位置を検出する位置検出手段，位置検出手段によって検出された観察者の瞳の位置に応じて移動するように遮光板を制御する遮光板制御手段，および偏向光学系が遮光板によって遮光される領域に重なるような表示画面の領域に少なくとも一部の画像を表示するように表示装置を制御する表示制御手段を備えていることを特徴とする。【０００８】
この発明は，カメラに適した動作制御方法も提供している。すなわち，この方法は，対物レンズに凹レンズが用いられ，かつ接眼レンズに凸レンズが用いられている虚像式ファインダ装置を備えたカメラにおいて，固体電子撮像装置が，被写体を撮像し，被写体像を表わす画像データを出力し，表示装置が，固体電子撮像装置によって撮像された被写体像の少なくとも一部の画像を表示画面に表示し，偏向光学系が，対物レンズと接眼レンズとの間に設けられ，表示装置の表示画面に表示されている少なくとも一部の画像を接眼レンズに導き，遮光板が，対物レンズの出射光の一部を遮り，対物レンズの光軸に対して垂直に移動自在であり，位置検出手段が，接眼レンズに近づく観察者の瞳の位置を検出し，遮光板制御手段が，位置検出手段によって検出された観察者の瞳の位置に応じて移動するように遮光板を制御し，表示制御手段が，偏向光学系が遮光板によって遮光される領域に重なるような表示画面の領域に少なくとも一部の画像を表示するように表示装置を制御するものである。【０００９】
この発明によると，対物レンズの出遮光の一部を遮り，対物レンズの光軸に対して垂直に移動自在な遮光板が設けられている。接眼レンズに近づく観察者の瞳の位置が検出され，その瞳の位置に応じて遮光板が移動させられる。観察者の瞳の位置に応じて遮光板が移動させられるので，遮光領域は常に一定となる。観察者の瞳の移動に伴い，遮光領域が大きくなったり，小さくなったりしないので，遮光領域と，その遮光領域に重ねられる被写体像の一部の画像は常に一致することとなる。【００１０】
遮光板制御手段は，たとえば，位置検出手段によってファインダ装置の光軸から観察者の瞳の位置が動いたことに応じて，その動いた方向に移動するように遮光板を制御するものである。【００１１】
遮光板は，たとえば，虚像式ファインダ装置によって結像する光学的な被写体像の四隅のうちのいずれかの位置に位置決めされる。
【図面の簡単な説明】
【００１２】
【図１】ディジタル・カメラの正面図である。
【図２】ディジタル・カメラの背面図である。
【図３】ディジタル・カメラを背面から見た斜視図である。
【図４】ディジタル・カメラの電気的構成を示すブロック図である。
【図５】ファインダ装置の分解斜視図および遮光板とプリズムとの関係を示す正面図である。
【図６】ファインダ装置を覗いて見える画像の一例およびファインダ装置を平面から見た様子を示している。
【図７】ファインダ装置を覗いて見える画像の一例およびファインダ装置を平面から見た様子を示している。
【図８】ファインダ装置を覗いて見える画像の一例およびファインダ装置を平面から見た様子を示している。
【図９】ファインダ装置を覗いて見える画像の一例およびファインダ装置を平面から見た様子を示している。
【図１０】ファインダ装置を覗いて見える画像の一例およびファインダ装置を平面から見た様子を示している。
【図１１】ファインダ装置を覗いて見える画像の一例およびファインダ装置を平面から見た様子を示している。
【図１２】ファインダ装置を覗いて見える画像の一例およびファインダ装置を平面から見た様子を示している。
【図１３】ディジタル・カメラの処理手順を示すフローチャートである。
【発明を実施するための形態】
【００１３】
図１から図３は，この発明の実施例を示すもので，ディジタル・カメラ１の外観を示している。図１は正面図，図２は背面図，図３は背面から見た斜視図である。
【００１４】
図１を参照して，ディジタル・カメラ１の正面のほぼ中心に前方に突出したレンズ鏡筒２が設けられている。ディジタル・カメラ１の右上には，ファインダ装置を構成し，被写体に向く対物窓３が形成されている。この対物窓３の左側にはストロボ発光装置４が設けられている。この実施例のファインダ装置は，光学ビュー・ファインダの機能と電子ビュー・ファインダの機能と光学式電子式兼用ビュー・ファインダの機能とを切り換えることができる。光学ビュー・ファインダの機能は，詳しくは後述するように，ファインダ装置に含まれている対物レンズと接眼レンズとによって結像する光学的な被写体像を，ファインダ装置を覗いたユーザが観察するものである。電子ビュー・ファインダの機能は，固体電子撮像素子を用いて撮像された被写体像を液晶表示装置に表示し，その表示された被写体像を，ファインダ装置を覗いたユーザが観察するものである。光学式電子式兼用ビュー・ファインダの機能は，光学ビュー・ファインダによって得られる光学的な被写体像と電子ビュー・ファインダに表示される被写体像とを，ファインダ装置を覗いたユーザが観察するものである。ストロボ発光装置４の左側には，光学ビュー・ファインダの機能と電子ビュー・ファインダの機能と光学式電子式兼用ビュー・ファインダの機能とを切り換えるための切替レバー19が設けられている。正面から見て切替レバー19が左側に倒されるとファインダ装置は光学ビュー・ファインダの機能が設定され，正面から見て切替レバー19が中央の位置に位置決めされるとファインダ装置は光学式電子式兼用ビュー・ファインダの機能が設定され，正面から見て切替レバー19が右側に倒されるとファインダ装置は電子ビュー・ファインダの機能が設定される。
【００１５】
ディジタル・カメラ１の上面において正面から見て左側には，シャッタ・スピード・ダイアル６，電源レバー７，シャッタ・レリーズ・ボタン８および露出ダイアル９が設けられている。シャッタ・スピード・ダイアル６は，回転自在な円形つまみである。ユーザは，シャッタ・スピード・ダイアル６を回転させることにより，所望のシャッタ・スピードを設定できる。電源レバー７は，正面から見て右および左に所定角度動かすことができる。ユーザは，電源レバー７を所定角度動かすことにより，ディジタル・カメラ１の電源をオン，オフできる。電源レバー７は上面から見て（図３参照），内部が空間の円環上のものであり，その空間にシャッタ・レリーズ・ボタン８が設けられている。露出ダイアル９も，回転自在な円形つまみである。ユーザは，露出ダイアル９を回転させることにより，露出を補正できる。
【００１６】
図２および図３を参照して，ディジタル・カメラ１の背面のほぼ全体に渡って液晶表示装置12が設けられている。ディジタル・カメラ１の背面の左上にはファインダ装置を構成する接眼窓11が形成されている。ディジタル・カメラ１の背面の右上には，左右に動かすことができるコマンド・レバー10が設けられている。ユーザは，コマンド・レバー10を操作することにより，マニアル露出時の１／３ＥＶステップでの絞り調整などの指令をディジタル・カメラ１に与えることができる。
【００１７】
コマンド・レバー10の下には，ＡＦ（自動焦点調節）／ＡＥ（自動露出）ロック・ボタン13，コマンド・ダイアル14，メニュー／ＯＫボタン15，バック・ボタン16，RAWボタン17などが設けられている。
【００１８】
主として図３を参照して，上述したように，ディジタル・カメラ１の上面の右側（背面から見て右側）には，シャッタ・スピード・ダイアル６，電源レバー７，シャッタ・レリーズ・ボタン８および露出ダイアル９が設けられている。上述したように，電源レバー７は，正面方向に突出した突起７Ａが形成されている。突起７Ａがつままれて左右に動かされることによりディジタル・カメラ１の電源のオン，オフができる。
【００１９】
ファインダ装置の接眼窓11に目を近づけて接眼窓11から覗くことにより，対物窓３および接眼窓11を介して被写体を見ることができ，カメラ・アングルを決定できる。
【００２０】
図４は，ディジタル・カメラ１の電気的構成を示すブロック図である。
【００２１】
ディジタル・カメラ１の全体の動作は，ＣＰＵ47によって統括される。
【００２２】
ディジタル・カメラ１には，固体電子撮像素子41が含まれている。この固体電子撮像素子41の前方には，レンズ鏡筒２に内蔵されているフォーカス・レンズ群31が位置決めされている。レンズ鏡筒２の周囲には回転自在なフォーカス・リング32が設けられている。ユーザによるフォーカス・リング32の操作に応じて，フォーカス・リング群31が位置決めされる。
【００２３】
固体電子撮像素子41によって被写体が撮像されると，被写体像を表わす映像信号が固体電子撮像素子41から出力される。映像信号は，サンプル／ホールド回路42を介してアナログ／ディジタル変換回路43に入力する。アナログ／ディジタル変換回路43において映像信号がディジタル画像データに変換される。変換されたディジタル画像データは信号処理回路44において，白バランス調整，ガンマ補正などの所定の信号処理が行われる。
【００２４】
信号処理回路44から出力されたディジタル画像データはメモリ46を介してＬＣＤ（Liquid Crystal Display）ドライバ48に与えられる。ＬＣＤドライバ48によって液晶表示装置12（表示画面と同じ符号を使用する）が制御され，固体電子撮像素子41によって撮像された被写体像が液晶表示装置12の表示画面に表示される。
【００２５】
また，シャッタ・レリーズ・ボタン８が押されると，上述のようにメモリ46に入力した画像データはメモリ・カード・コントローラ49の制御によりメモリ・カード50に記録される。
【００２６】
信号処理回路44から出力された画像データは，ＬＣＤドライバ36を介してファインダ装置60の電子ビュー・ファインダ65にも与えられる。電子ビュー・ファインダ65は，液晶表示装置である。電子ビュー・ファインダ65の表示画面65Ａに撮像により得られた被写体像が表示可能となる。
【００２７】
ファインダ装置60には，接眼窓11の前方に接眼レンズ66が設けられており，この接眼レンズ66の前方にはハーフミラー64が形成されているプリズム63が設けられている。ハーフミラー64は，光学ビュー・ファインダ60の光軸Ｌに対して45度の入射角となるように形成されている。このプリズム63の前方にＣＰＵ47によって開閉が制御されるＯＶＦ（光学ビュー・ファインダ）シャッタ（機械シャッタでもよいし，液晶シャッタでもよい）62および対物レンズ61が設けられている。ＯＶＦシャッタ62が液晶シャッタであれば，液晶シャッタを制御するＬＣＤドライバが設けられよう。
【００２８】
ファインダ装置60に含まれている対物レンズ61は凹レンズが用いられており，接眼レンズ66は凸レンズが用いられている。ファインダ装置60は虚像式光学ファインダの機能を有するものとなる。
【００２９】
対物レンズ61の前方には，対物レンズ61への入射光線（対物レンズ61からの出射光線）の一部を遮光する遮光板80が設けられている。この遮光板は，ＣＰＵ47によって制御されるモータ68によってファインダ装置60の光軸Ｌに対して垂直に進出，退避できるように移動自在である。
【００３０】
さらに，ファインダ装置60において接眼窓11近傍には，接眼窓11を覗いたユーザの瞳の位置を検出する検出装置70が設けられている。この検出装置70には，ユーザの目に光を照射する発光装置71が設けられている。発光装置71から出射した光はユーザの瞳において反射し，ハーフミラー72によってさらに反射する。ハーフミラー72において反射した光はエリア・センサ73に入射する。エリア・センサ73に入射した位置にもとづいて瞳の位置が検出される。
【００３１】
図５の上図は，ファインダ装置60の内部構成を示す斜視図である。図５の上図においては，分りやすくするために遮光板80を移動させるモータ68および検出装置70は図示が省略されている。図５の下図は，ファインダ装置60の正面（対物窓３側）から対物レンズ61
見た様子を示すもので，遮光板80とプリズム63との関係を示している。
【００３２】
遮光板80は，遮光するための遮光部87と遮光板80を左右方向（光軸Ｌと垂直となる方向）に移動するためのラック81Ａが下部に形成されている突出部81とを有している。突出部81には内部に規制ピン83が嵌っているスライド溝82が開いている。また，遮光部87の下部にも内部に規制ピン86が嵌っているスライド溝85が開いている。ラック81Ａには上述したモータ68によって回転が制御されるギア84が噛み合っている。ギア84が回転することにより，規制ピン83，86によって水平状態が維持されつつ，遮光板80が左右方向に移動する。
【００３３】
遮光板80によって，プリズム63の前面63Ａの一部が遮光される。遮光される範囲は遮光板80が動かされる量によって異なることとなる。
【００３４】
遮光板80は，正面から見てプリズム63の前面63Ａの左下隅を遮光するように設けられているが，右下隅，左上隅または右上隅のいずれかを遮光するように設けられていてもよい。
【００３５】
図４に戻って，電子ビュー・ファインダの機能が設定されると，ＯＶＦシャッタ62が閉じられる。電子ビュー・ファインダ65の表示画面65Ａの全体（図５の上図参照）に撮像により得られた被写体像が表示される。表示された被写体像は，プリズム63に形成されているハーフミラー64によって反射され，接眼窓11に導かれる。接眼窓11を覗いたユーザは，電子ビュー・ファインダ65の表示画面65Ａに表示されている被写体像を見ることとなる。
【００３６】
光学ビュー・ファインダの機能が設定されると，ＯＶＦシャッタ62が開かれる。また，遮光板80は対物レンズ61の前面（プリズム63の前面63Ａ）から完全に退避させられる。ユーザは，対物レンズ61および接眼レンズ66によって結像した被写体像を接眼窓11から見ることとなる。
【００３７】
光学式電子式兼用ビュー・ファインダの機能が設定されると，ＯＶＦシャッタ62が開かれる。また，遮光板80は対物レンズ61の前面（プリズム63の前面63Ａ）に進出する。これによりプリズム63の前面63Ａに遮光領域が形成される。さらに，電子ビュー・ファインダ65の表示画面65Ａのうちの一部の領域65Ｂ（図５の上図参照）に，撮像により得られた被写体像（の一部）が表示される。その領域65Ｂに表示された被写体像（の一部）はプリズム63に形成されているハーフミラー64によって反射され接眼窓11に導かれる。領域65Ｂに表示された被写体像（の一部）は，プリズム63の前面63Ａに形成される遮光領域に重なって見える。接眼窓11を覗いたユーザは，対物レンズ61および接眼レンズ66によって結像した被写体像と領域65Ｂに表示された被写体像（の一部）との両方を並べて同時に見ることとなる。
【００３８】
図６の上図，図７の上図，図８の上図，図９の上図，図10の上図，図11の上図および図12の上図は，ファインダ装置60の接眼窓11から覗いたときに見える画像の一例であり，図６の下図，図７の下図，図８の下図，図９の下図，図10の下図，図11の下図および図12の下図は，ファインダ装置60を平面から見た様子を示している。
【００３９】
図６の上図に示す画像90は，ファインダ装置60のＯＶＦシャッタ62が開いており，かつ遮光板80が対物レンズ61の前面において光軸Ｌの方向に進出しているときのものである。また，電子ビュー・ファインダ65の表示画面65Ａには表示領域65Ｂも含めて何も表示されていないときのものである。
【００４０】
ＯＶＦシャッタ62が開いているので，ファインダ装置60の対物窓11を通過し，対物レンズ61，プリズム63および接眼レンズ66を透過した光線束によって結像する光学的な被写体像91を，ファインダ装置60の光軸Ｌに瞳75を位置決めして接眼窓11を覗いたユーザが見ることができる。遮光板80が対物レンズ61の前方に進出しているので，上述したように遮光板80によって遮光領域が形成される。電子ビュー・ファインダ65の表示画面65Ａに何も表示されていない場合には，その遮光領域の画像93も見える。
【００４１】
図７の上図は，ファインダ装置60のＯＶＦシャッタ62が閉じている場合であって，電子ビュー・ファインダ65の表示領域65Ｂに固体電子撮像素子41によって撮像された被写体像の一部が表示されるときに，ファインダ装置60の接眼窓11から覗いたときに見える画像90の一例である。
【００４２】
ＯＶＦシャッタ62が閉じているので（図７の下図においては，ＯＶＦシャッタ62が閉じていることを示すためにＯＶＦシャッタ62が黒塗りされている），ＯＶＦシャッタ62の光学像62が見える。また，電子ビュー・ファインダ65の表示領域65Ｂに固体電子撮像素子41によって撮像された被写体像が表示されるので，その被写体像92が右下隅に表示されている。このように，電子ビュー・ファインダ65の表示領域65Ｂに被写体像が表示されると，ファインダ装置60の光軸Ｌに瞳75を位置決めして，その被写体像92を見ることができるようになる。
【００４３】
図８の上図は，遮光板80が対物レンズ61の前方に進出し，ＯＶＦシャッタ62が開放し，かつ電子ビュー・ファインダ65の表示領域65Ｂに被写体像が表示されているとき（光学式電子式兼用ビュー・ファインダの機能が設定されているとき）に，ファインダ装置60を覗いて見える画像90の一例である。
【００４４】
上述したように，ＯＶＦシャッタ62が開いているので，対物レンズ61，接眼レンズ66などによって結像する光学的な被写体像91を見ることができる。また，遮光板80により遮光領域93が形成されているので，電子ビュー・ファインダ65の表示領域65Ｂに被写体像が表示されることにより，遮光領域93に重ねられた被写体像92が見える。このようにしてファインダ装置60の光軸Ｌ上に瞳75を位置決めして，光学的な被写体像91と固体電子撮像素子41によって撮像された被写体像（の一部）92を並べて同時に見ることができる。
【００４５】
図９の上図は，図８の上図と同様に，遮光板80が対物レンズ61の前方に進出し，ＯＶＦシャッタ62が開放し，かつ電子ビュー・ファインダ65の表示領域65Ｂに被写体像が表示されているが，図９の下図に示すように，ユーザの瞳75がファインダ装置60の光軸Ｌから右側にずれているときに，ファインダ装置60を覗いて見える画像90の一例である。
【００４６】
上述したように，ファインダ装置60は凹レンズである対物レンズ61と凸レンズである接眼レンズ66から構成される虚像式ファインダであるから，図９の下図に示すように背面から見て瞳75が光軸Ｌから右側（正面から見て左側）にずれると形成される遮光領域93の範囲は図９の上図に示すように左側に大きく伸びてしまう。このために，上述したように，遮光領域93に重ねられている被写体像92の左側に遮光領域93が見えてしまうこととなる。この遮光領域93により光学的な被写体像91の隠れる面積が大きくなる。
【００４７】
図10は，図８の上図と同様に，遮光板80が対物レンズ61の前方に進出し，ＯＶＦシャッタ62が開放し，かつ電子ビュー・ファインダ65の表示領域65Ｂに被写体像が表示されているが，図10の下図に示すように，ユーザの瞳75がファインダ装置60の光軸Ｌから左側にずれているときに，ファインダ装置60を覗いて見える画像90の一例である。
【００４８】
上述したように，ファインダ装置60は凹レンズである対物レンズ61と凸レンズである接眼レンズ66から構成される虚像式ファインダであるから，図10の下図に示すように背面から見て瞳75が光軸Ｌから左側（正面から見て右側）にずれると形成される遮光領域93の範囲は図10の上図に示すように右側に縮んでしまう。このために，電子ビュー・ファインダ65に表示されている被写体像を表わす被写体像92には遮光領域93に重なる部分92Ａと光学的な被写体像91に重なる部分92Ｂとが含まれる。光学的な被写体像91に重なる部分92Ｂは，遮光領域93に重なるのではないので，見づらい。
【００４９】
このように，ファインダ装置60を覗く瞳75が光軸Ｌからずれることにより，遮光領域93の大きさも変わるので，不要な遮光領域93が生じたり（図９の上図参照），被写体像92が見づらくなったり（図10の上図参照）する。この実施例では，瞳75の位置を検出し，その位置にかかわらず遮光領域93の範囲が一定となるように，遮光板80の位置を決定するものである。
【００５０】
図11の下図を参照して，図９の下図と同様に背面から見て瞳75がファインダ装置60の光軸Ｌよりも右側にずれたことが上述した検出装置70によって検出されたものとする。すると，背面から見て遮光板80は右側に移動させられる。これにより，図11の上図に示すように，遮光領域93の範囲は瞳75が光軸Ｌ上にある場合と同じとなる。
【００５１】
図12の下図を参照して，図10の下図と同様に背面から見て瞳75がファインダ装置60の光軸Ｌよりも左側にずれたものとする。すると，背面から見て遮光板80は左側に移動させられる。これにより，図12の上図に示すように，遮光領域93の範囲は瞳75が光軸Ｌ上にある場合と同じとなる。
【００５２】
このようにして，瞳75の位置に関わらず，一定の大きさの遮光領域93を形成できるようになる。瞳75の位置と遮光板80の移動量との関係はカメラの製作段階で試行錯誤で決定しておくのはいうまでもない。
【００５３】
図13は，光学式電子式兼用ビュー・ファインダの機能が設定されているときのディジタル・カメラの処理手順を示すフローチャートである。光学式電子式兼用ビュー・ファインダの機能が設定されているので，上述のようにＯＶＦシャッタ62が開放されており，電子ビュー・ファインダ65の領域65Ｂに被写体像が表示されている。
【００５４】
瞳の位置がファインダ装置60の光軸上にあるかどうかが検出装置70によって検出される（ステップ101）。瞳の位置がファインダ装置60の光軸上にある場合には（ステップ101でＹＥＳ），遮光領域93が所定の大きさとなる（たとえば，電子ビュー・ファインダ65の領域65Ｂの大きさ）遮光板80の位置（ホーム・ポジション）に位置決めされる（ステップ102）。図８に示したように，遮光領域93にほぼ一致した被写体像92を見ることができる。
【００５５】
瞳の位置がファインダ装置60の光軸上にない場合には（ステップ101でＮＯ），ディジタル・カメラの背面から見て瞳の位置が光軸Ｌよりも右側かどうかが確認される（ステップ103）。右側である場合には（ステップ103でＹＥＳ），上述したように遮光板80もディジタル・カメラの背面から見て右側に，瞳75の位置に応じた量だけ動かされる（ステップ104）。
【００５６】
ディジタル・カメラの背面から見て瞳の位置が光軸Ｌよりも右側でなければ（ステップ103でＮＯ），ディジタル・カメラの背面から見て瞳の位置が光軸Ｌよりも左側であるかどうかが確認される（ステップ105）。左側である場合には（ステップ105でＹＥＳ），上述したように遮光板80もディジタル・カメラの背面から見て左側に，瞳75の位置に応じた量だけ動かされる（ステップ106）。
【００５７】
上述した実施例では，遮光板80は正面から見て左右方向に移動しているが，左右方向でなく，上下方向，斜め方向に移動するようにしてもよいのはいうまでもない。
【符号の説明】
【００５８】
１  ディジタル・カメラ
36  ＬＣＤドライバ（表示制御手段）
41  固体電子撮像素子
47  ＣＰＵ（遮光板制御手段）
60  ファインダ装置（虚像式ファインダ装置）
61  対物レンズ（凹レンズ）
63  プリズム（偏向光学系）
65  電子ビュー・ファインダ（表示装置）
66  接眼レンズ（凸レンズ）
70  検出装置（位置検出手段）
80  遮光板
【図１】
2014013797.tif 000003
【図２】
2014013797.tif 000004
【図３】
2014013797.tif 000005
【図４】
2014013797.tif 000006
【図５】
2014013797.tif 000007
【図６】
2014013797.tif 000008
【図７】
2014013797.tif 000009
【図８】
2014013797.tif 000010
【図９】
2014013797.tif 000011
【図１０】
2014013797.tif 000012
【図１１】
2014013797.tif 000013
【図１２】
2014013797.tif 000014
【図１３】
2014013797.tif 000015
【国際調査報告】
2014013797.tif 000016
2014013797.tif 000017